(57)【要約】【課題】  中央作業体と左右の延長作業体の３分割で構成され、この延長作業体を中央作業体の上方側へ折り畳み可能とした折り畳み代かき装置において、延長作業体を上方へ折り畳んだ時は、第１サイドレベラと第２サイドレベラを同時に回動規制ができるとともに、耐久性のある折り畳み代かき装置のレベラ回動規制装置を提供する。【解決手段】  延長作業体が折り畳まれた時は、延長作業体の第１サイドレベラと第２サイドレベラの上方面に位置させて連結させたリンク体の前方部が、サイドカバーフレーム側へ回動するのを阻止する回動阻止手段を設け、延長作業体を展開した時は、回動阻止手段が解除されるようにレベラ回動規制装置を構成した。【選択図】      図１
2006034225.tif 000002
【特許請求の範囲】
【請求項１】
中央作業体と左右の延長作業体の３分割で構成され、この延長作業体を中央作業体の両端部で軸支し、中央作業体の上方側へ折り畳み可能とした折り畳み代かき装置において、前記延長作業体は、圃場の泥土を砕土する砕土ロータリと、この砕土ロータリの両側を回転自在に軸支し上部を覆うサイドカバーフレームと、このサイドカバーフレームの後端に上下方向回動自在に軸支した整地体である第１サイドレベラと、さらに第１サイドレベラの後端に上下方向回動自在に軸支した第２サイドレベラとで構成され、当接部が設けられた端部をサイドカバーフレーム側に向け、他方端は後方の第２サイドレベラ側に向け、中間部を回動自在に第１サイドレベラ上方面に軸支した第１リンクアームと、第２サイドレベラ上方面に回動自在に後方端を軸支し、前方端を第１サイドレベラ側に向けた第２リンクアームとの互いに向き合った前記第１リンクアーム端部と第２リンクアーム端部を折曲自在に連結したリンク体を設け、延長作業体を上方へ折り畳んだ時に、前記第１リンクアームの当接部がサイドカバーフレーム側へ回動するのを阻止する回動阻止手段を設け、延長作業体を展開し砕土作業巾を延長した時は、回動阻止手段が解除されるように構成したレベラ回動規制装置。
【請求項２】
前記回動阻止手段の阻止部材は、リンク体の回動軸と直交する方向に回動軸を有し、延長作業体が展開し砕土作業巾を延長した時は、阻止部材の一方端が中央作業体のガイド部材に係合することで回動阻止手段が解除され、延長作業体を上方へ折り畳んだ時は、前記ガイド部材との係合が外れ、阻止部材はリンク体の回動方向と直交する方向に横断して回動方向を塞ぎ、第１サイドレベラと第２サイドレベラの回動が阻止される請求項１記載のレベラ回動規制装置。
【発明の詳細な説明】
【技術分野】
【０００１】
本発明は、中央作業体と左右に作業巾を延長する延長作業体の３分割で構成され中央作業体の両端に回動支点を有し、この回動支点を中心に左右作業体を回動させ折り畳み可能とした折り畳み代かき装置の延長作業体側レベラの固定方法に関する。
【背景技術】
【０００２】
従来この種の折り畳み代かき装置の延長作業体側レベラ固定方法として、特開２００２−１４２５１３号公報に記載されるように、「トラクタの後部に連結装置を介して農作業機の長さ方向中央部分を昇降可能に装着し、上記トラクタから農作業機の中央部分に動力を伝達すると共に、上記中央部分に対し、該中央部分から左右両側に延出している作業機部分を、それぞれ中央部分側に折り畳み可能とした農作業機において、上記農作業機は、ロータリ作業部の外周にシールドカバー及びエプロンを備え、左右の作業機部分のエプロンの内端部に、作業機部分を折り畳んだときエプロンをシールドカバーに係止し、作業機部分を作業状態に展開したときはエプロンのシールドカバーへの係止を解除するロック装置を設けたことを特徴とする折り畳み農作業機」の構成が知られる。
【特許文献１】特開２００２−１４２５１３号公報
【発明の開示】
【発明が解決しようとする課題】
【０００３】
前記従来技術によれば、左右の作業機部分に備えたエプロンの全体重量をロック装置に備えたロックピンでのみ支えシールドカバーへ係止するため機体走行時に発生する振動で長時間使用することにより、係止部が穴ダレしたりロックピンが摩耗し係止部にガタつきを発生させ、他の部材と干渉し異音を発生させたり損傷することがある。
【０００４】
また、エプロン後端部に枢支軸により枢支したレベラは、延長作業体を上方へ折り畳んだ時においては固定する手段が無いため、機体移動走行時の振動等により自由に振れるため周辺部材等に干渉したり損傷する場合がある。
【０００５】
そこで本発明は、延長作業体を上方へ折り畳んだ時において、第１サイドレベラと第２サイドレベラを共に回動規制ができて、係止部等が磨耗等により損傷することが少ない耐久性のある折り畳み代かき装置のレベラ回動規制装置を提供することを目的とする。
【課題を解決するための手段】
【０００６】
上記課題を解決するために、中央作業体と左右の延長作業体の３分割で構成され、この延長作業体を中央作業体の両端部で軸支し、中央作業体の上方側へ折り畳み可能とした折り畳み代かき装置において、前記延長作業体は、圃場の泥土を砕土する砕土ロータリと、この砕土ロータリの両側を回転自在に軸支し上部を覆うサイドカバーフレームと、このサイドカバーフレームの後端に上下方向回動自在に軸支した整地体である第１サイドレベラと、さらに第１サイドレベラの後端に上下方向回動自在に軸支した第２サイドレベラとで構成され、当接部が設けられた端部をサイドカバーフレーム側に向け、他方端は後方の第２サイドレベラ側に向け、中間部を回動自在に第１サイドレベラ上方面に軸支した第１リンクアームと、第２サイドレベラ上方面に回動自在に後方端を軸支し、前方端を第１サイドレベラ側に向けた第２リンクアームとの互いに向き合った前記第１リンクアーム端部と第２リンクアーム端部を折曲自在に連結したリンク体を設け、延長作業体を上方へ折り畳んだ時に、前記第１リンクアームの当接部がサイドカバーフレーム側へ回動するのを阻止する回動阻止手段を設け、延長作業体を展開し砕土作業巾を延長した時は、回動阻止手段が解除されるように構成した。
【０００７】
また、前記回動阻止手段の阻止部材は、リンク体の回動軸と直交する方向に回動軸を有し、延長作業体が展開し砕土作業巾を延長した時は、阻止部材の一方端が中央作業体のガイド部材に係合することで回動阻止手段が解除され、延長作業体を上方へ折り畳んだ時は、前記ガイド部材との係合が外れ、阻止部材はリンク体の回動方向と直交する方向に横断して回動方向を塞ぎ、第１サイドレベラと第２サイドレベラの回動が阻止されるように構成した。
【発明の効果】
【０００８】
以上のような構成にすることにより、左右の延長作業体を上方に折り畳んだ時は、第１サイドレベラと第２サイドレベラの上方面に設けたリンク体のサイドカバーフレーム側への回動を阻止する回動阻止手段により、第１サイドレベラと第２サイドレベラの両整地体は回動を阻止され固定されるため、走行時に発生する振動等により干渉したり損傷する不具合を起こすことはない。また、回動阻止部は、ピン等ではなく広い当接部を設けることができて磨耗等に対する耐久性も良い。さらに、延長作業時の展開状態では、サイドレベラの回動阻止手段が解除されるため、整地体であるサイドレベラが上下回動自在となり泥土を均平に整地する代かき作業が行える。
【発明を実施するための最良の形態】
【０００９】
以下、本発明の実施の形態を図面を用いて説明する。図１は本発明を実施した折り畳み代かき装置の平面図であり、図２は同代かき装置の背面図である。図３は同代かき装置の側面図であり、図４は同代かき装置の動力伝達図である。図５は同代かき装置のクラッチ部の拡大図であり、図６は同代かき装置に備えたクラッチの斜視図である。図７は同代かき装置の側面断面図であり、図８は同代かき装置に備えた左右の延長作業体の折り畳み回動作用図である。図９は同代かき装置に備えた延長作業体の連結部を示す拡大図であり、図１０は同代かき装置に備えた延長作業体を折り畳み回動開始時の連結部を示す拡大図である。図１１は同代かき装置の折り畳み時の側面図であり、図１２は同代かき装置のレベラ連結部を示す拡大作用図、図１３は同代かき装置のレベラ連結部を示す拡大図であり、図１４は同代かき装置のレベラ回動規制装置の要部側面図である。
【００１０】
図１，図２及び図３において、Ａは折り畳み代かき装置で、１の中央作業体と左右に作業巾を延長する延長作業体２Ｌ，２Ｒの３分割で構成されている。中央作業体１は左右に延設するセンタフレーム１１を有し、このセンタフレーム１１の中央部前方にはミッションケース１２が挟持するよう設けられ、このミッションケース１２の両側にはさらに前方に突出するようロアブラケット１３Ｌ，１３Ｒが設けられる。前記ミッションケース１２の上部にはトップブラケット１３Ｔが設けられ、前記ロアブラケット１３Ｌ，１３Ｒとでトラクタ装着マスト１３を構成している。又、前方には入力軸１２ａが突設し、図示されていないがトラクタ３点リンク機構に前記トラクタ装着マストが連結されるようになっており、入力軸１２ａにはトラクタＰＴＯ軸よりユニバーサルジョイントが連結される。
【００１１】
又、前記ミッションケース１２の下部には左右水平方向に延設し、両端を回転自在に支持された中央砕土ロータリ１４Ｌ，１４Ｒが回転駆動可能に設けられている。そして、前記中央砕土ロータリ１４Ｌ，１４Ｒの上方を覆うセンタカバー１５が前記センタフレーム１１の下部で両端部に設けられた側板１１Ｌ，１１Ｒに固定され、このセンタカバー１５の後方には両端を軸支し上下回動自在とした第１センタレベラ１６とこの第１センタレベラ１６の後方に両端を軸支し、上下回動自在とした第２センタレベラ１７とでセンタレベラが構成され設けられている。
【００１２】
延長作業体２Ｌ，２Ｒはフレームとカバーとが一体構造となったサイドカバーフレーム２１Ｌ，２１Ｒの下方に両端を回転自在に軸支した側方砕土ロータリ２２Ｌ，２２Ｒを備え、前記サイドカバーフレーム２１Ｌ，２１Ｒの後方には、両端を軸支し上下回動自在とした第１サイドレベラ２３Ｌ，２３Ｒと、この第１サイドレベラ２３Ｌ，２３Ｒの後方には両端を軸支し、上下回動自在とした第２サイドレベラ２４Ｌ，２４Ｒとでサイドレベラが構成され設けられる。
【００１３】
前記中央作業体１と前記延長作業体２Ｌ，２Ｒの連結部は前記センタフレーム１１の両端部に設けた回動ブラケット１１ａ，１１ａと前記サイドカバーフレーム２１Ｌ，２１Ｒにコの字状に設けたサイド回動ブラケット２５Ｌ，２５Ｒとを重合させ回動軸２ａ，２ａを挿入し軸支され、前記延長作業体２Ｌ，２Ｒを延長作業時の展開状態と非作業時である移動格納時の折り畳み状態に回動可能に連結してある。
【００１４】
３はレベラ操作手段で、前記第２センタレベラ１７及び前記第２サイドレベラ２４Ｌ，２４Ｒを泥土を掻き寄せる土寄せ作業位置と泥土を均平に整地する代かき作業位置に切り替え操作するもので、４は前記延長作業体２Ｌ，２Ｒを延長作業時の展開状態に固定する延長作業ロック装置で、それぞれ前記中央作業体１と前記延長作業体２Ｌ，２Ｒの前方側連結部に配置される。５は前記延長作業体２Ｌ，２Ｒを折り畳み状態に固定する折り畳みロック装置で、それぞれ前記中央作業体１の後方両端部に配置される。
【００１５】
６はクラッチで、前記中央砕土ロータリ１４Ｌ，１４Ｒの外方端と前記側方砕土ロータリ２２Ｌ，２２Ｒの内方端に配置され、駆動伝達されるものである。７はレベラ連結装置で、前記第２センタレベラ１７と前記第２サイドレベラ２４Ｌ，２４Ｒを延長作業時に連結するもので、それぞれ前記第２センタレベラ１７の両端に配置される。
【００１６】
図４において、動力伝達について説明する。図示されていないがトラクタＰＴＯ軸にユニバーサルジョイント等を介し連結する入力軸１２ａに駆動伝達され、前記ミッションケース１２内に設けたベベルギヤ１２ｂ，１２ｃにより減速される。このベベルギヤ１２ｃにより水平方向に駆動軸１２ｄが設けられ、略中央部にスプロケット１２ｅを設け、このスプロケット１２ｅを下方に設けられるスプロケット１２ｆへチェーン１２ｇを架設し、さらに減速され前記ミッションケース１２の下端部で左右に突設する出力軸１２ｈへと駆動伝達される。この出力軸１２ｈには、前記中央砕土ロータリ１４Ｌ，１４Ｒが両端部に組み付けられ回転駆動する。
【００１７】
前記中央砕土ロータリ１４Ｌ，１４Ｒは、ロータ軸１４ａ，１４ａの円周上で螺旋状に複数列設けた爪ホルダ１４ｃに砕土爪１４ｂを着脱自在に取り付け可能として構成され、外端部はベアリングリテーナ１４ｄ，１４ｄにて支持され、回転駆動することにより泥土を砕土することができる。
【００１８】
前記側方砕土ロータリ２２Ｌ，２２Ｒは、ロータ軸２２Ｌａ，２２Ｒａの円周上で螺旋状に複数列設けた爪ホルダ１４ｃに砕土爪１４ｂを有し着脱可能として構成され、この側方砕土ロータリ２２Ｌ，２２Ｒは内方端を前記ベアリングリテーナ１４ｄにて支持し、外方端は前記サイドカバーフレーム２１Ｌ，２１Ｒを構成する側板２１Ｌａ，２１Ｒａの内方に設けたベアリングリテーナ２２ａにより支持され回転可能としてある。そして、前記中央砕土ロータリ１４Ｌ，１４Ｒの外端部と前記側方砕土ロータリ２２Ｌ，２２Ｒの内端部には一対のクラッチ６，６が設けられ、中央砕土ロータリからの回転力を側方砕土ロータリ２２Ｌ，２２Ｒへ伝達可能に構成されている。
【００１９】
図５，図６は、前記延長作業体２Ｌへの駆動伝達を示し、前記クラッチ６は前記中央砕土ロータリ１４Ｌ，１４Ｒの外端部と前記側方砕土ロータリ２２Ｌ，２２Ｒの内端部にそれぞれ設けるもので、左右対称であり同一構成としているため延長作業体２Ｌ一方について説明する。
【００２０】
前記クラッチ６は、前記ロータ軸１４ａの外方端に設けられたベアリングリテーナ１４ｄによりさらに突出して設けたセンタクラッチロータ軸６１ａと、前記ロータ軸２２Ｌａの内方端に設けられたベアリングリテーナ１４ｄよりさらに突出して設けたサイドクラッチロータ軸６１ｂとの間に設けられる。又、前記クラッチ６は、前記センタクラッチロータ軸６１ａの外方端には水平方向に端面をもつ円盤状で外周部には前記延長作業体２Ｌ方向に向けた係合片６２ａを有する係合体６２が設けられ、前記サイドクラッチロータ軸６１ｂの内方端には、前記係合体６２に対向する端面をもつ円盤で外周部には前記中央作業体１方向に向けた被係合片６３ａを有する被係合体６３が設けられ構成される。前記係合片６２ａと前記被係合片６３ａは回転方向側に当接面を有し、前記中央砕土ロータリ１４Ｌが回転駆動されるとともに、前記係合片６２ａが前記被係合片６３ａと当接し、回転駆動力が前記側方砕土ロータリ２２Ｌへと伝達するものである。
【００２１】
前記係合体６２は前記センタクラッチロータ軸６１ａに設けられる爪ホルダ６１ｃに着脱自在に取り付けられる砕土爪１４ｂと共にボルト１４ｅにて固定され、前記被係合体６３は前記サイドクラッチロータ軸６１ｂに設けられる爪ホルダ６１ｃ着脱自在に取り付けられる砕土爪１４ｂと共にボルト１４ｅにて固定される。
【００２２】
図７において、３はレベラ操作手段で、操作レバー３１と前記センタフレーム１１の略中央部後方に前後方向に回動自在となるよう軸支したロックブラケット３２とを備え、前記操作レバー３１と前記ロックブラケット３２を連結する連結プレート３３が設けられる。そして、前記センタフレーム１１の後方で前記ロックブラケット３２の軸支部上方に始端部を設け、後方に向け上下回動自在に軸支した第１レベラ支持アーム３４と、この第１レベラ支持アーム３４の終端部より前記第２センタレベラ１７の略中央部上面に向け設けた第２レベラ支持アーム３５の両端を軸支し、回動自在に連結されリンク体を構成している。
【００２３】
そして、前記第１レベラ支持アーム３４にはＵ字状の切り欠き部を有するロックプレート３４ａを有し、又前記ロックブラケット３２には前記ロックプレート３４ａのＵ字状の切り欠き部と係合するロックピン３２ａを有しており、前記操作レバー３１を前後回動操作させることにより、前記連結プレート３３により連結された前記ロックブラケット３２が前後方向に回動し、前記ロックブラケット３２に備えたロックピン３２ａと前記第１レベラ支持アーム３４に備えたＵ字状の切り欠き部を有するロックプレート３４ａとが係脱し、前記第１センタレベラ１６および前記第２センタレベラ１７を固定保持し、泥土を掻き寄せる土寄せ作業位置ｂと固定解除し泥土を均平に整地する代かき作業位置ａに切り替え可能となる。
【００２４】
図８は折り畳み代かき装置Ａの延長作業体２Ｌ，２Ｒの回動動作を示す図であり、前記中央作業体１に備えたセンタフレーム１１の後方両端部に設けた回動ブラケット１１ａ，１１ａに開口させた回動孔の中心と、前記延長作業体２Ｌ，２Ｒに備えたサイドカバーフレーム２１Ｌ，２１Ｒの後方内端部に設けたコの字状のサイド回動ブラケット２５Ｌ，２５Ｒに開口した回動孔の中心とを合わせ、回動軸２ａ，２ａを挿入し軸支され回動可能に連結されている。
【００２５】
延長作業体２Ｌは回動途中を表わすもので、延長作業体２Ｒは前記回動軸２ａを中心とし折り畳み方向へ回動させ、前記折り畳みロック装置５により固定保持された状態である。延長作業体２Ｌ，２Ｒは圧縮弾性体であるガススプリングＧにより折り畳み時の回動補助されている。
【００２６】
図９において、前記延長作業体２Ｌ，２Ｒを延長作業時の展開状態に固定する延長作業ロック装置４と延長作業体２Ｌ，２Ｒを上方に回動させ、折り畳み状態に固定するための折り畳みロック装置５について説明するが、左右対称であり同一構成としているため一方の延長作業体２Ｌ側について説明する。４は延長作業ロック装置で、センタフレーム１１の前方両端部に配置されＵ字状の切り欠き部を有する係合プレート４１が設けられ、この係合プレート４１の下部には係合フック４２が水平方向に回動可能に設けられ、ロック方向へ常に弾性保持されている。
【００２７】
又、前記サイドカバーフレーム２１Ｌの内側前方部には、前記係合プレート４１に設けたＵ字状の切り欠き部に係合し、前記係合フック４２により係着する係合ピン４３ａを有する係合ブラケット４３が設けられ、前記延長作業体２Ｌを延長作業時の展開状態に固定可能とし、ロック解除は図１０に示すように前記係合フック４２に設けたレバー４２ａを解除方向へ回動させることによりロック解除することができる。
【００２８】
５は折り畳みロック装置で、前記回動ブラケット１１ａに水平方向に回動自在として軸支され、フック状の切り欠き部を有する折り畳み係合フック５１が設けられ、この折り畳み係合フック５１はロック方向へ弾性保持されている。
【００２９】
又、前記サイド回動ブラケット２５Ｌには折り畳み係合ピン５２が設けてあり、前記延長作業体２Ｌを折り畳み回動していくと、前記回動ブラケット１１ａに設けられる係合溝５３に前記折り畳み係合ピン５２が係合し、前記折り畳み係合フック５１により係着し、前記延長作業体２Ｌを折り畳み状態に固定可能となる。ロック解除は図１０に示すように、前記折り畳み係合フック５１に設けたレバー５１ａを解除方向へ回動させることによりロック解除することができる。
【００３０】
図１１は前記延長作業体２Ｌ，２Ｒを折り畳んだ状態を示す側面図であり、前記中央作業体１に備えたセンタフレーム１１の前方部に設けられるスタンドブラケット１１ｂにスタンドＳが着脱自在に装着され、折り畳み状態及び展開状態で図示されていないがトラクタより離脱され格納することができる。
【００３１】
前記スタンドブラケット１１ｂは前方に開口するコの字状に形成され、上部にはＵ字状の切り欠き部１１ｃを複数設けるとともに、これら切り欠き部１１ｃの直線上下方には貫通穴１１ｄが前記切り欠き部１１ｃと同数設けてある。本実施例では切り欠き部１１ｃと貫通穴１１ｄは２ヶ所ずつ設けてある。前記スタンドＳの装着部すなわち立ち上がり杆部の上部には係合ピンＳ１とこの係合ピンＳ１の直線上下方には装着穴Ｓ２が設けられ、前記切り欠き部へ係合ピンＳ１が係合し前記貫通穴の中心と装着穴Ｓ２の中心を合わせ装着ピンＳ３を挿入し着脱自在となる。
【００３２】
又、前記スタンドブラケット１１ｂに設けられる切り欠き部１１ｃと貫通穴１１ｄの中心点を結ぶ中心線の角度を位相させて設けることにより、前記スタンドＳ装着位置を変更させ格納状態での前記ロアブラケット１３Ｌ，１３Ｒと前記トップブラケット１３Ｔにより構成されるトラクタ装着マストヒッチ点の角度を変更することができる。本実施例では切り欠き部１１ｃと貫通穴１１ｄは２ヶ所ずつ設けてあるので、前記ヒッチ点の角度を２段階に調整可能としてトラクタの種類を選ばず装着することが可能となる。
【００３３】
図１２，図１３はレベラ連結動作について説明するもので、前記第２センタレベラ１７の両外端部で前記第２サイドレベラ２４Ｌ，２４Ｒの内端部に備えられたレベラ連結装置７は左右対称であり同一構成としているため一方の延長作業体２Ｌ側について説明する。
【００３４】
レベラ連結装置７は第２センタレベラ１７の端部に前記延長作業体２Ｌ側に突設する整地補助板７１とこの整地補助板７１の上部には連結片７２が設けられ、前記第２サイドレベラ２４Ｌの内端部には前記整地補助板７１と重合するよう前記中央作業体１側に向け突設する延長整地補助板７３と、この延長整地補助板７３の上部には前記連結片７２の上面を挟持し、固定保持するロックプレート７４が上下方向へ回動可能に軸支され構成されている。
【００３５】
前記ロックプレート７４は支点ピン７５により軸支され、上下方向へ回動可能としてあり、バネ７６にて常に開口方向へ弾性保持され開口部を形成している。そして、前記延長作業体２Ｌが延長作業時の展開回動し、図１２に示すように前記延長整地補助板７３が前記整地補助板７１の上面に重合しながら、前記ロックプレート７４にて形成される開口部が前記連結片７２の先端部と当接する。さらに展開回動していくと、図１３に示すように前記連結片７２の先端部が前記ロックプレート７４の当接部７４ａを押し前記ロックプレート７４が下方へ回動し挟持面７４ｂが前記連結片７２の上面を挟持し固定保持され、前記第２センタレベラ１７と前記第２サイドレベラ２４Ｌが連結される。このように連結されることにより第２サイドレベラ２４Ｌ，２４Ｒは、前記第２サイドレベラ１７と連動して土壌を均平にする代かき均平機と、土壌を掻き寄せる土寄せ作業位置とに変位可能としてなる。
【００３６】
図９，図１０および図１４において、前記延長作業体２Ｌ，２Ｒを上方に回動させ、折り畳み状態とした場合と、展開回動した延長作業時のレベラ回動規制装置について説明するが、左右対称であり同一構成としているため、一方の延長作業体２Ｌ側について説明する。８はレベラ回動規制装置で、第１サイドレベラ２３Ｌと第２サイドレベラ２４Ｌとに掛け渡したリンク体８０と、このリンク体８０の回動を阻止する回動阻止装置９０とで構成されている。
【００３７】
リンク体８０は、第１サイドレベラ２３Ｌ上方面に進行方向と直交する方向に回動軸を有して取り付けられた第１リンクアーム８２と、第２サイドレベラ２４Ｌ上方面に後方端を進行方向と直交する方向に回動軸を有して取り付けられた第２リンクアーム８３とを連結して構成されている。
【００３８】
第１リンクアーム８２は、当接部が設けられた側の端部をサイドカバーフレーム２１Ｌ側の前方に向け、他方端は後方の第２サイドレベラ２４Ｌ側に向けて、中間部を第１リンクピン８１ａで第１サイドレベラ２３Ｌ上方面に回動可能に取り付けてあり、第２サイドレベラ２４Ｌ側の端部は、前記第２リンクアーム８３の一方端と第２リンクピン８１ｂで連結されて、第２リンクアーム８３の後方端は、第２サイドレベラ２４Ｌ上方面に第３リンクピン８１ｃによって回動軸が進行方向と直行する方向に取り付けられている。
【００３９】
回動阻止装置９０は、前記リンク体８０の前方部に位置し、サイドカバーフレーム２１Ｌ上方面に設けてあり、センタカバー１５の両端の側板１１Ｌに設けたガイドピン８７と係合して作動する。
【００４０】
回動阻止装置９０は、前記リンク体８０の回動軸と直交する方向の進行方向と平行に回動軸を有し、サイドカバーフレーム２１Ｌ上面部に突設したブラケット８４で両側を支えた支点ピン８５で阻止部材８６が取り付けられていて、延長作業体２Ｌが上方に折り畳まれた時は、阻止部材８６が中間部を回動支点とし回動し、これにより一方端は前記リンク体８０の回動方向と直交する方向に横断して回動方向を塞ぎ、第１リンクアーム８２の当接部８２ａと阻止部材８６が当接し、リンク体８０の回動を阻止する。
【００４１】
また、延長作業体２Ｌが展開回動された延長作業状態時は、阻止部材８６のセンターカバー１５側端部がセンタカバー１５の側板１１Ｌに設けたガイドピン８７と係合して阻止部材８６は回動され、この阻止部材８６はリンク体８０の回動方向から解除され、第１サイドレベラ２３Ｌと第２サイドレベラ２４Ｌは、上下に回動自在に作動し泥土の均平整地作用が可能となる。
【００４２】
尚、阻止部材８６は、支点ピン８５に巻着されたねじりバネ８８によりリンク体８０の回動阻止方向に弾性保持されていて、図１０に示すように延長作業体２Ｌが上方に回動して、阻止部材８６とガイドピン８７との係合が外れると、リンク体８０の回動方向を常に塞ぐように構成されている。また、第１サイドレベラ２３Ｌの下限回動規制は、サイドカバーフレーム２１Ｌの側板２１Ｌａに取り付けた下限ストッパー２１Ｌｃを第１サイドレベラの下方面に当接させて規制している。
【図面の簡単な説明】
【００４３】
【図１】折り畳み代かき装置の平面図
【図２】同代かき装置の背面図
【図３】同代かき装置の側面図
【図４】同代かき装置の動力伝達図
【図５】同代かき装置のクラッチ部の拡大図
【図６】同代かき装置に備えたクラッチの斜視図
【図７】同代かき装置の側面断面図
【図８】同代かき装置に備えた左右の延長作業体の折り畳み回動作用図
【図９】同代かき装置に備えた延長作業体の連結部を示す拡大図
【図１０】同代かき装置に備えた延長作業体を折り畳み回動開始時の連結部を示す拡大図
【図１１】同代かき装置の折り畳み時の側面図
【図１２】同代かき装置のレベラ連結部を示す拡大作用図
【図１３】同代かき装置のレベラ連結部を示す拡大図
【図１４】同代かき装置のレベラ回動規制装置の要部側面図
【符号の説明】
【００４４】
１        中央作業体
１１      センタフレーム
１１ａ    回動ブラケット
１１ｂ    スタンドブラケット
１１ｃ    切り欠き部
１１ｄ    貫通穴
１１Ｌ，１１Ｒ    側板
１２      ミッションケース
１２ａ    入力軸
１２ｂ，１２ｃ    ベベルギヤ
１２ｄ    駆動軸
１２ｅ，１２ｆ    スプロケット
１２ｇ    チェーン
１２ｈ    出力軸
１３      トラクタ装着マスト
１３Ｌ，１３Ｒ    ロアブラケット
１３Ｔ    トップブラケット
１４ａ    ロータ軸
１４ｂ    砕土爪
１４ｃ    爪ホルダ
１４ｄ    ベアリングリテーナ
１４ｅ    ボルト
１４Ｌ，１４Ｒ    中央砕土ロータリ
１５      センタカバー
１６      第１センタレベラ
１７      第２センタレベラ
２ａ      回動軸
２Ｌ，２Ｒ    延長作業体
２１Ｌ，２１Ｒ      サイドカバーフレーム
２１Ｌａ，２１Ｒａ  側板
２１Ｌｂ    側板
２１Ｌｃ    下限ストッパー
２２ａ      ベアリングリテーナ
２２Ｌ，２２Ｒ      側方砕土ロータリ
２２Ｌａ，２２Ｒａ  ロータ軸
２３Ｌ，２３Ｒ      第１サイドレベラ
２４Ｌ，２４Ｒ      第２サイドレベラ
２５Ｌ，２５Ｒ      サイド回動ブラケット
３        レベラ操作手段
３１      操作レバー
３２      ロックブラケット
３２ａ    ロックピン
３３      連結プレート
３４      第１レベラ支持アーム
３４ａ    ロックプレート
３５      第２レベラ支持アーム
４        延長作業ロック装置
４１      係合プレート
４２      係合フック
４２ａ    レバー
４３      係合ブラケット
４３ａ    係合ピン
５        折り畳みロック装置
５１      折り畳み係合フック
５２      折り畳み係合ピン
５３      係合溝
６        クラッチ
６１ａ    センタクラッチロータ軸
６１ｂ    サイドクラッチロータ軸
６１ｃ    爪ホルダ
６２      係合体
６２ａ    係合片
６３      被係合体
６３ａ    被係合片
７        レベラ連結装置
７１      整地補助板
７２      連結片
７３      延長整地補助板
７４      ロックプレート
７４ａ    当接部
７４ｂ    挟持面
７５      支点ビン
７６      バネ
８        レベラ回動規制装置
８０      リンク体
８１      支点ピン
８１ａ    第１リンクピン
８１ｂ    第２リンクピン
８１ｃ    第３リンクピン
８２      第１リンクアーム
８２ａ    当接部
８３      第２リンクアーム
８４      ブラケット
８５      支点ピン
８６      阻止部材
８７      ガイドピン
８８      ねじりバネ
９０      回動阻止装置
Ａ        折り畳み代かき装置
Ｇ        ガススプリグ
Ｓ        スタンド
【図１】
2006034225.tif 000003
【図２】
2006034225.tif 000004
【図３】
2006034225.tif 000005
【図４】
2006034225.tif 000006
【図５】
2006034225.tif 000007
【図６】
2006034225.tif 000008
【図７】
2006034225.tif 000009
【図８】
2006034225.tif 000010
【図９】
2006034225.tif 000011
【図１０】
2006034225.tif 000012
【図１１】
2006034225.tif 000013
【図１２】
2006034225.tif 000014
【図１３】
2006034225.tif 000015
【図１４】
2006034225.tif 000016